(57)【要約】【課題】  コインパーキング等で、駅周辺など密集地での渋滞緩和や事故防止、無駄な時間を省き、駐車スペースの利用率を向上させる。【解決手段】  パーキングシステム４の予約受付部４１は、携帯電話端末１からの駐車の予約申込又は予約解除申込を受付ける。予約プレート作動命令部４２は、駐車スペース６に設けた車両入庫の抑止を行う為の予約プレート装置５を予約申込み時には作動させ、予約解除申込み時には予約プレート装置５を解除する為の指示を出力する。赤外線通信部４３は、予約プレート作動命令部４２からの情報を受信し予約プレート装置５との赤外線通信を行う。リモコンデータ作成部４４は、予約プレート作動命令部４２が赤外線通信部４３に対し予約プレート装置５の作動指示を与えこの予約プレート装置５が作動完了したことを確認し駐車予約を申込んできた端末１へ当該駐車スペースの予約プレートを作動させる為のリモコンデータを作成する。【選択図】      図１
2005266958.tif 000002
【特許請求の範囲】
【請求項１】
駐車スペースに設けた車両の入庫を阻止または可能とする車両入庫抑止手段と、携帯電話端末からネットワークを介し駐車予約あるいは駐車予約解除の申し込みを受け付け前記車両入庫抑止手段を作動または解除させるためのリモコンデータを作成する制御手段を備え、前記携帯電話端末が前記制御手段から受信した前記リモコンデータを駐車現場で入力して駐車予約時に作動させた前記車両入庫抑止手段を車両の入庫を可能とするように解除させることを特徴とする駐車スペース予約・解除制御方式。
【請求項２】
所定の時間が経過しても当該のリモコンデータが前記車両入庫抑止手段で不受信の場合あるいは当該駐車スペースの予約解除の通知を前記制御手段で不受信の場合には、前記制御手段は、前記リモコンデータの破棄および前記車両入庫抑止手段の解除を行い、次の予約が可能な状態に戻すことを特徴とする請求項１記載の駐車スペース予約・解除制御方式。
【請求項３】
前記制御手段は前記車両入庫抑止手段との通信を行うため、あるいは前記携帯電話端末は駐車現場到着時に前記車両入庫抑止手段との通信を行うため赤外線通信手段をそれぞれ備えることを特徴とする請求項１記載の駐車スペース予約・解除制御方式。
【請求項４】
赤外線通信によるリモコン機能を有する携帯電話端末であって、ネットワークを介し駐車予約あるいは駐車解除の申し込みを行い、前記駐車予約あるいは駐車予約解除のためのリモコンデータを管理しているサーバから当該駐車スペースのリモコンデータを受信し、駐車現場で前記リモコンデータを用いて駐車可能なように駐車スペースに設けた車両入庫抑止手段を解除させ、あるいは前記リモコンデータを用いて駐車予約の解除通知を前記サーバに対し行う制御手段を備えることを特徴とする携帯電話端末。
【請求項５】
携帯電話端末からネットワークを介し接続され駐車を管理するサーバであって、前記携帯電話端末からの駐車の予約申込みあるいは予約解除申込みを受け付ける予約受付部と、駐車スペースに設けた車両入庫の抑止を行うための予約プレート装置を前記予約申込み時には作動させあるいは予約解除申込み時には前記予約プレート装置を解除するための指示を出力する予約プレート作動命令部と、前記予約プレート作動命令部からの情報を受信し前記予約プレート装置との赤外線通信を行う赤外線通信部と、前記予約プレート作動命令部が前記赤外線通信部に対し前記予約プレート装置の作動指示を与えこの予約プレート装置が作動完了したことを確認し駐車予約を申し込んできた携帯電話端末へ当該駐車スペースの予約プレート装置を作動させるためのリモコンデータを作成するリモコンデータ作成部とを備えることを特徴とするサーバ。
【請求項６】
駐車スペースへの車両の入庫を阻止または可能とするプレートを有する装置であって、携帯電話端末からネットワークを介し接続され駐車を管理するサーバあるいは携帯電話端末と前記サーバで作成されたリモコンデータを用いて赤外線通信を行う赤外線通信部と、前記赤外線通信部が受信した情報に基づき前記プレートを作動または解除させるプレート作動制御部とを備えることを特徴とする予約プレート装置。
【請求項７】
請求項４記載の携帯電話端末と、請求項５記載のサーバと、請求項６記載の予約プレート装置とを備えることを特徴とする駐車スペース予約・解除制御方式。
【請求項８】
携帯電話端末からネットワークを介し駐車の予約あるいは予約解除を行う駐車スペース予約・解除制御方法であって、前記携帯電話端末から送信された駐車予約の申し込みをサーバで受け付けるステップと、この受け付けに基づき駐車スペースに対応し車両入庫の阻止を行う予約プレート装置の作動情報を作成しこの作動情報を駐車現場に送信するステップと、駐車現場では受信した作動情報に従って当該の予約プレート装置を作動させるステップと、予約プレート装置の作動後前記サーバへ前記予約プレート装置の作動結果を通知するステップと、この作動結果に基づき当該予約プレート装置を解除させるためのリモコンデータを作成するステップと、前記リモコンデータを駐車申し込みのあった当該携帯電話端末へ送信するステップと、当該携帯電話端末が前記サーバから受信し保持しているリモコンデータを駐車現場に到着時に当該の予約プレート装置に対し送信するステップと、この予約プレート装置では受信したリモコンデータに基づき駐車可能なように予約プレート装置を解除するステップとを有することを特徴とする駐車予約・解除制御方法。
【請求項９】
予約処理時間が所定の時間を超えた場合には、前記サーバが当該の予約プレート装置の作動情報を破棄し新たな予約を受け付け可能な状態にするステップを有することを特徴とする請求項８記載の駐車スペース予約・解除制御方法。
【請求項１０】
前記携帯電話端末から送信された駐車予約の解除を受け付けるステップと、この受け付けに基づき当該の予約プレート装置の解除情報を作成しこの解除情報を駐車現場へ送信するステップと、駐車現場では受信した解除情報に従って当該予約プレート装置を解除するステップと、当該予約プレート装置の解除後前記サーバへ解除結果を通知するステップと、この解除結果に基づき解除完了情報を作成するステップと、前記解除完了情報を解除要求のあった当該の携帯電話端末へ送信するステップとを有することを特徴とする請求項８記載の駐車スペース予約・解除制御方法。
【請求項１１】
前記サーバと前記予約プレート装置との間の通信、および前記携帯電話端末が駐車現場に到着した際に前記予約プレート装置との通信を赤外線通信で行うステップを有することを特徴とする請求項８〜１０いずれか１項に記載の駐車スペース予約・解除制御方法。
【請求項１２】
予め一定期間固定的に駐車スペースを使用する契約者の契約者情報を前記予約プレート装置および前記携帯電話端末にリモコンデータとして登録しておくステップと、車両の入出庫時に駐車現場で前記携帯電話端末の前記リモコンデータを用い当該の予約プレート装置を作動あるいは解除させるステップとを有することを特徴とする請求項８記載の駐車スペース予約・解除制御方法。
【発明の詳細な説明】
【技術分野】
【０００１】
本発明は駐車スペース予約・解除制御方式および方法に関し、特に、携帯電話端末からネットワークを介し予約を行い空き駐車スペースを確保する駐車スペース予約・解除制御方式および方法に関する。
【背景技術】
【０００２】
携帯電話端末を利用した駐車スペース予約方法とその解除方法は、渋滞緩和と駅周辺の密集地での２４時間コインパーキングの普及に伴って考案されているシステムである。駐車予約までの検索や予約方法の一例については、例えば特許文献１に、コインパーキングのような駐車場で車両１台ずつそれぞれの入出庫の情報を管理し、利用者へ提供するシステムが開示されている。
【０００３】
また本発明に関連する技術として、駐車場の予約が行われると、車両の入庫していない駐車スペースのロック板を上げて、他の車両の入庫を阻止し、予約された駐車スペースを確保する技術が開示されている（例えば、特許文献２参照）。あるいは、入力された暗証番号と予め設定された暗証番号とを照合し、一致する場合には、予約料の支払いを確認し、車両ロックを解除して駐車を可能にする技術が開示されている（例えば、特許文献３参照）。また、特許文献４には、赤外線によるリモコン機能付きの携帯電話機が開示されている。
【０００４】
【特許文献１】特開２００２−４２１８７号公報（段落番号０００６）
【特許文献２】特開２００２−２１６１８４号公報（段落番号０００８，００１０，００１５）
【特許文献３】特開２００１−６７５０２号公報（段落番号００２５，００２７，００３３）
【特許文献４】特開２００３−７８９７７号公報（段落番号０００７）
【発明の開示】
【発明が解決しようとする課題】
【０００５】
上述された特許文献１に記載されたシステムは、検索方法についての仕組みを開示しており、詳細な予約方法や解除法については記載されていない。また、上述した特許文献２あるいは３には、駐車スペースを確保する駐車場予約システムが開示されているが、特許文献４に示すようなリモコン機能付き携帯電話機との組合せにより、駐車スペースを予約・解除を行うことについては開示していない。
【０００６】
本発明は、駐車予約手段について、携帯電話端末のリモコン機能を用いて、駐車利用者がより手軽に利用できるように具体的に考え出されたものである。携帯電話端末と駐車場の普及、車所有率の増加に伴い、より効率的な駐車の予約・解除が可能なシステムの実現が望まれている。
【０００７】
本発明の目的は、駅周辺など密集地での渋滞緩和や事故防止、無駄な時間を省き、駐車スペースの利用率を向上させることが可能な駐車スペース予約・解除制御方式および方法、携帯電話端末、サーバ、予約プレートを提供することにある。
【課題を解決するための手段】
【０００８】
請求項１に記載の本発明は、駐車スペースに設けた車両の入庫を阻止または可能とする車両入庫抑止手段と、携帯電話端末からネットワークを介し駐車予約あるいは駐車予約解除の申し込みを受け付け前記車両入庫抑止手段を作動または解除させるためのリモコンデータを作成する制御手段を備え、前記携帯電話端末が前記制御手段から受信した前記リモコンデータを駐車現場で入力して駐車予約時に作動させた前記車両入庫抑止手段を車両の入庫を可能とするように解除させることを特徴とする。
【０００９】
請求項２に記載の本発明は、請求項１において、所定の時間が経過しても当該のリモコンデータが前記車両入庫抑止手段で不受信の場合あるいは当該駐車スペースの予約解除の通知を前記制御手段で不受信の場合には、前記制御手段は、前記リモコンデータの破棄および前記車両入庫抑止手段の解除を行い、次の予約が可能な状態に戻すことを特徴とする。
【００１０】
請求項３に記載の本発明は、請求項１において、前記制御手段は前記車両入庫抑止手段との通信を行うため、あるいは前記携帯電話端末は駐車現場到着時に前記車両入庫抑止手段との通信を行うため赤外線通信手段をそれぞれ備えることを特徴とする。
【００１１】
請求項４に記載の本発明は、赤外線通信によるリモコン機能を有する携帯電話端末であって、ネットワークを介し駐車予約あるいは駐車解除の申し込みを行い、前記駐車予約あるいは駐車予約解除のためのリモコンデータを管理しているサーバから当該駐車スペースのリモコンデータを受信し、駐車現場で前記リモコンデータを用いて駐車可能なように駐車スペースに設けた車両入庫抑止手段を解除させ、あるいは前記リモコンデータを用いて駐車予約の解除通知を前記サーバに対し行う制御手段を備えることを特徴とする。
【００１２】
請求項５に記載の本発明は、携帯電話端末からネットワークを介し接続され駐車を管理するサーバであって、前記携帯電話端末からの駐車の予約申込みあるいは予約解除申込みを受け付ける予約受付部と、駐車スペースに設けた車両入庫の抑止を行うための予約プレート装置を前記予約申込み時には作動させあるいは予約解除申込み時には前記予約プレート装置を解除するための指示を出力する予約プレート作動命令部と、前記予約プレート作動命令部からの情報を受信し前記予約プレート装置との赤外線通信を行う赤外線通信部と、前記予約プレート作動命令部が前記赤外線通信部に対し前記予約プレート装置の作動指示を与えこの予約プレート装置が作動完了したことを確認し駐車予約を申し込んできた携帯電話端末へ当該駐車スペースの予約プレート装置を作動させるためのリモコンデータを作成するリモコンデータ作成部とを備えることを特徴とする。
【００１３】
請求項６に記載の本発明は、駐車スペースへの車両の入庫を阻止または可能とするプレートを有する装置であって、携帯電話端末からネットワークを介し接続され駐車を管理するサーバあるいは携帯電話端末と前記サーバで作成されたリモコンデータを用いて赤外線通信を行う赤外線通信部と、前記赤外線通信部が受信した情報に基づき前記プレートを作動または解除させるプレート作動制御部とを備えることを特徴とする。
【００１４】
請求項７に記載の本発明は、請求項４記載の携帯電話端末と、請求項５記載のサーバと、請求項６記載の予約プレート装置とを備えることを特徴とする。
【００１５】
請求項８に記載の本発明は、携帯電話端末からネットワークを介し駐車の予約あるいは予約解除を行う駐車スペース予約・解除制御方法であって、前記携帯電話端末から送信された駐車予約の申し込みをサーバで受け付けるステップと、この受け付けに基づき駐車スペースに対応し車両入庫の阻止を行う予約プレート装置の作動情報を作成しこの作動情報を駐車現場に送信するステップと、駐車現場では受信した作動情報に従って当該の予約プレート装置を作動させるステップと、予約プレート装置の作動後前記サーバへ前記予約プレート装置の作動結果を通知するステップと、この作動結果に基づき当該予約プレート装置を解除させるためのリモコンデータを作成するステップと、前記リモコンデータを駐車申し込みのあった当該携帯電話端末へ送信するステップと、当該携帯電話端末が前記サーバから受信し保持しているリモコンデータを駐車現場に到着時に当該の予約プレート装置に対し送信するステップと、この予約プレート装置では受信したリモコンデータに基づき駐車可能なように予約プレート装置を解除するステップとを有することを特徴とする。
【００１６】
請求項９に記載の本発明は、請求項８において、予約処理時間が所定の時間を超えた場合には、前記サーバが当該の予約プレート装置の作動情報を破棄し新たな予約を受け付け可能な状態にするステップを有することを特徴とする。
【００１７】
請求項１０に記載の本発明は、請求項８において、前記携帯電話端末から送信された駐車予約の解除を受け付けるステップと、この受け付けに基づき当該の予約プレート装置の解除情報を作成しこの解除情報を駐車現場へ送信するステップと、駐車現場では受信した解除情報に従って当該予約プレート装置を解除するステップと、当該予約プレート装置の解除後前記サーバへ解除結果を通知するステップと、この解除結果に基づき解除完了情報を作成するステップと、前記解除完了情報を解除要求のあった当該の携帯電話端末へ送信するステップとを有することを特徴とする。
【００１８】
請求項１１に記載の本発明は、請求項８〜１０いずれか１項において、前記サーバと前記予約プレート装置との間の通信、および前記携帯電話端末が駐車現場に到着した際に前記予約プレート装置との通信を赤外線通信で行うステップを有することを特徴とする。
【００１９】
請求項１２に記載の本発明は、請求項８において、予め一定期間固定的に駐車スペースを使用する契約者の契約者情報を前記予約プレート装置および前記携帯電話端末にリモコンデータとして登録しておくステップと、車両の入出庫時に駐車現場で前記携帯電話端末の前記リモコンデータを用い当該の予約プレート装置を作動あるいは解除させるステップとを有することを特徴とする。
【００２０】
本発明によれば、携帯電話端末を用いて、例えば２４時間コインパーキングの空車事前予約を行い、目的の駐車場にきた際に、駐車する時には携帯電話端末の赤外線リモコンを用いて予約プレートの解除を行う。これにより、優先的に駐車させることができる。
【発明の効果】
【００２１】
本発明によれば、第一の効果は、駐車場を探す時間を短縮することができ、駅周辺など密集地での混雑緩和を図ることができる。これにより事故を未然に防ぐことも可能となる。また第二の効果は、駐車スペースの効率的運用により、２４時間パーキングなどでの駐車利用率を上げることが期待できる。
【発明を実施するための最良の形態】
【００２２】
次に、本発明を実施するための最良の形態について図面を参照して詳細に説明する。
【００２３】
図１を参照すると、本発明の駐車スペース予約・解除制御方式の実施の形態は、赤外線通信によるリモコン機能を有する携帯電話端末１と、基地局２と、基地局２とネットワーク３を介し接続されサーバにより実現されるパーキングシステム４と、駐車スペース６への車両の入庫を阻止または可能とする駐車スペースごとに設けた予約プレート装置５（図１（ｂ）では１つのみ図示）とを備えて構成される。
【００２４】
携帯電話端末１は、基地局２およびネットワーク３を介し駐車予約あるいは駐車解除の申し込みを行い、駐車予約あるいは駐車予約解除のためのリモコンデータを管理しているパーキングシステム４から当該駐車スペースのリモコンデータを受信する。リモコンデータを受信した携帯電話端末１は、駐車現場でこのリモコンデータを用いて駐車可能なように駐車スペース６に設けた予約プレート装置５を解除させ、あるいはリモコンデータを用いて駐車予約の解除通知をパーキングシステム４に対し行う制御部（図示せず）を備える。
【００２５】
パーキングシステム４は、携帯電話端末１から基地局２およびネットワーク３を介し接続され駐車を管理するサーバである。パーキングシステム４は、予約受付部４１と、予約プレート作動命令部４２と、赤外線通信部４３と、リモコンデータ作成部４４とを備える。予約受付部４１は、携帯電話端末からの駐車の予約申込みあるいは予約解除申込みを受け付ける。予約プレート作動命令部４２は、駐車スペース６に設けた車両入庫の抑止を行うための予約プレート装置５を予約申込み時には作動させあるいは予約解除申込み時には予約プレート装置５を解除するための指示を出力する。赤外線通信部４３は、予約プレート作動命令部４２からの情報を受信し予約プレート装置５との赤外線通信を行う。リモコンデータ作成部４４は、予約プレート作動命令部４２が赤外線通信部４３に対し予約プレート装置５の作動指示を与えこの予約プレート装置５が作動完了したことを確認し駐車予約を申し込んできた携帯電話端末１へ当該駐車スペースの予約プレートを作動させるためのリモコンデータを作成する。
【００２６】
予約プレート装置５は赤外線通信部５１と、プレート作動制御部５２とを備える。赤外線通信部５１は、パーキングシステム４あるいは駐車現場に到着した携帯電話端末１とパーキングシステム４で作成されたリモコンデータを用いて赤外線通信を行う。プレート作動制御部５２は、赤外線通信部５１が受信した情報に基づき予約プレート装置５を作動または解除させる。なお、携帯電話端末の赤外線リモコンは、車内からでも充分に予約プレート装置５へリモコン電波が届くことが必要不可欠である。
【００２７】
次に、本発明を実施するための最良の形態の動作について図面を参照して説明する。図２は本発明の駐車スペース予約・解除制御方法の実施の形態における予約動作の処理の流れを示すフローチャートである。図１および図２を参照して、駐車場の利用者が駐車予約を行う場合の動作を説明する。
【００２８】
始めに、携帯電話端末１（図１）から駐車予約のためのアプリケーションを起動し、所定の番号をダイヤルすることにより、空きのあったパーキングシステム４（図１）への予約を行う。当該車両に係わる予約情報を取得したパーキングシステム４の予約受付部４１は、予約を受け付ける（ステップ２０：Ｓ２０と略称、以下同様）。次に、パーキングシステム４の予約プレート作動命令部４２は、例えば○番目の駐車スペース６のプレートの作動のために予約プレート作動情報を作成する。そして、赤外線通信部４３を介し実際の駐車スペース６の予約プレート装置５（図１）の赤外線通信部５１へこの情報を送信し、予約処理を開始する（Ｓ２１）。
【００２９】
駐車現場の予約プレート装置５のプレート作動制御部５２では、受信した予約プレート作動情報にしたがって、駐車スペース６のプレートを作動させる。具体的には、駐車スペース６の前方に予め備え付けられているプレートを立て、他の車両が入庫できないようにする（Ｓ２２）。そして、プレート作動制御部５２は、赤外線通信部５１，４３を介しその結果をパーキングシステム４の予約プレート作動命令部４２に、予約プレート装置５の作動結果として通知する（Ｓ２３）。その後、パーキングシステム４のリモコンデータ作成部４４は、予約完了と同時に、携帯電話端末１が駐車現場で予約プレート装置５を解除するためのリモコンデータを作成する。そして、リモコンデータ作成部４４は、予約完了通知とリモコンデータをネットワーク３、基地局２を介し当該の携帯電話端末１へ送信する（Ｓ２４，Ｓ２５）。
【００３０】
予約した利用者がパーキング現場へ到着した時点で、実際に予約した携帯電話端末１を用い、この携帯電話端末１に搭載している赤外線リモコンを起動する。予約した○番目の駐車スペース６の前に車をつけ、携帯電話端末１は、予約プレート装置５に向かって、予めパーキングシステム４から受信しているリモコンデータを赤外線リモコンで送信する（Ｓ２６）。予約プレート装置５のプレート作動制御部５２では、赤外線通信部５１を介しリモコンデータを受信し（Ｓ２７）、即座に予約時のデータと照合する。一致すると、プレートは解除され、入庫可能状態になる（Ｓ２９）。このプレートの解除動作としては、立てられていたプレートを下げて収納するか、あるいはプレートを倒す等いずれとしてもよい。
【００３１】
図３は予約解除動作の処理の流れを示すフローチャートである。図１および図３を参照して、駐車場の利用者が駐車予約解除を行う場合の動作を説明する。
【００３２】
携帯電話端末１は、予め予約時に受信保持しているリモコンデータをパーキングシステム４へ送信し、パーキングシステム４の予約受付部４１は、これを受信し予約解除を受け付ける（Ｓ３０）。予約受付部４１から解除情報を取得したパーキングシステム４の予約プレート作動命令部４２は、予約プレート解除情報を作成する。そして、予約プレート作動命令部４２は、この情報に基づき当該の駐車スペース６の予約プレート装置５に対し赤外線通信部４３，５１を介し解除命令を出す（Ｓ３１）。実際の駐車現場では、予約プレート装置５のプレート作動制御部５２が、この予約プレート解除情報を取得し、○番目の駐車スペースの前に、予め備え付けられているプレートの立てかけを解除して収納し（Ｓ３２）、パーキングシステム４の予約プレート作動命令部４２へ予約プレート装置５の解除結果を通知する（Ｓ３３）。その後、パーキングシステム４のリモコンデータ作成部４４は、解除完了情報を作成し携帯電話端末１へ通知する（Ｓ３４、Ｓ３５）。
【００３３】
一方、駐車予約を行ったが、何らかの事情により利用者が現れず、予約放置状態の駐車スペースを解除する場合を以下に説明する。予め定めた所定の時間、例えば１５分過ぎても予約プレートに該当するリモコンデータがパーキングシステム４の予約受付部４１で受信されずにいた場合や、パーキングシステム４に解除通知がなかった場合、パーキングシステム４の予約プレート作動命令部４２は、自動的に解除処理を実行する（図２、Ｓ２８参照）。予約プレート作動命令部４２は、リモコンデータの破棄、予約プレート装置５の解除を行い、次の予約が可能な状態に戻す。このように解除された場合、携帯電話端末１から該当するリモコンデータを送信しても、解除されているので要求は破棄される。これによって、駐車スペースの無効保留を防止できる。
【００３４】
上記の実施の形態では、赤外線リモコンによるパーキング空車予約とその解除を主目的としていたが、他の実施例として、以下のようなことが考えられる。月極駐車場や、契約駐車場における無断駐車を避けるため、上述した予約プレート装置５を設け、契約者の携帯電話端末１の赤外線リモコンおよび当該の予約プレート装置５にリモコンデータを予め登録しておく。そして携帯電話端末１の赤外線リモコンデータを用い、入庫／出庫時にプレートを立てたり、解除したりする。こうすることで、無断駐車を防ぐことが可能である。
【図面の簡単な説明】
【００３５】
【図１】（ａ）は本発明の駐車スペース予約・解除制御方式の実施の形態の構成を示す図である。（ｂ）は（ａ）における予約プレートの構成を示す図である。
【図２】本発明の駐車スペース予約・解除制御方法の実施の形態における予約動作の処理の流れを示すフローチャートである。
【図３】本発明の駐車スペース予約・解除制御方法の実施の形態における予約解除動作の処理の流れを示すフローチャートである。
【符号の説明】
【００３６】
１    携帯電話端末
２    基地局
３    ネットワーク
４    パーキングシステム
５    予約プレート装置
６    駐車スペース
４１    予約受付部
４２    予約プレート作動命令部
４３，５１    赤外線通信部
４４    リモコンデータ作成部
５２    プレート作動制御部
【図１】
2005266958.tif 000003
【図２】
2005266958.tif 000004
【図３】
2005266958.tif 000005